(57)【要約】
【課題】　ビデオモニター部とスピーカ部とを簡易に併設できるオーディオ／ビデオ用アンプを提供する。
【解決手段】　アンプ本体部を収納した本体ケース１の上面部１ａに対して、取付部５を介して、フラット状のビデオモニター部２を、該上面部１ａに伏せた折り畳み状態と、該上面部から立ち上がった開立状態のいずれにも切り替え可能に取り付ける。本体ケース１又はビデオモニター部２の少なくとも一方に対して取付部６，７を介して、折り畳み状態と開放状態のいずれにも切り替え可能に、フラット状のスピーカ部３Ｌ，３Ｒを取り付ける。これらのビデオモニター部２とスピーカ部３Ｌ，３Ｒは、本体ケース１に対して着脱自在であってもよい。
【選択図】　　図１
0003100274.tif 000002
【実用新案登録請求の範囲】
【請求項１】
　本体ケース内に収納されたアンプ本体部と、
　前記本体ケースの上面部に設けられた取付部を介して、該上面部に伏せた折り畳み状態と該上面部から立ち上がった開立状態のいずれにも切り替え可能に取り付けられるフラット状のビデオモニター部と、
　前記本体ケース又はビデオモニター部の少なくとも一方に対して取付部を介して、折り畳み状態と開放状態のいずれにも切り替え可能に取り付けられるフラット状のスピーカ部と
を具備するオーディオ／ビデオ用アンプ。
【請求項２】
　前記ビデオモニター部又は前記スピーカ部は、それぞれの前記取付部を介して着脱可能である請求項１に記載のオーディオ／ビデオ用アンプ。
【請求項３】
　外部の記憶媒体を着脱可能に装着し、装着された該記憶媒体に対する書き込み又は読み出しを行う記憶媒体ドライバを前記本体ケース内に更に収納してなる請求項１又は２に記載のオーディオ／ビデオ用アンプ。
【請求項４】
　前記ビデオモニター部のフレームに小型ビデオカメラを具備して請求項１乃至３のいずれかに記載のオーディオ／ビデオ用アンプ。
【請求項５】
　前記本体ケースにオーディオ信号及びビデオ信号の入出力端子を具備する請求項１乃至４のいずれかに記載のオーディオ／ビデオ用アンプ。
【請求項６】
　前記本体ケースにはマイクロフォン入力端子を有し、前記アンプ本体部は、該マイクロフォン入力端子から入力された音声信号を他のオーディオ信号にミキシングして前記スピーカ部又は出力端子に出力できる請求項１乃至５のいずれかに記載のオーディオ／ビデオ用アンプ。
【請求項７】
　前記ビデオモニター部又は前記スピーカ部は、有線式又は無線式によって前記本体ケース内のアンプ本体部との間で信号を授受する請求項１乃至６のいずれかに記載のオーディオ／ビデオ用アンプ。
【考案の詳細な説明】
【技術分野】
【０００１】
　この考案は、オーディオ／ビデオ用アンプに関し、特に、折り畳みに適したフラットなビデオモニター部とスピーカ部とを簡易に併設できるアンプに関する。
【背景技術】
【０００２】
　通常、ミキシングやイコライザなどの高機能を持つオーディオ／ビデオ用アンプに対して、該アンプからの出力信号を受けて映像表示及び音声出力するビデオモニターとスピーカは、別体の構成からなっている。従って、持ち運びに不便であった。勿論、安価な機種にあってはこれらが一体構成のものも存在するが、そのようなものにおいては同一ケーシング内にビデオモニターとスピーカとアンプがすべて一体的に収納されており、その場合、内蔵アンプはミキシングやイコライザなどの外部調整可能な高度な機能は持たないのが普通である。
【０００３】
　カラオケ店や喫茶店、ナイトクラブ、キャバレー等においては、カラオケ装置やＢＧＭ再生装置あるいは有線放送装置などを設置し、音楽や映像あるいはカラオケ等のエンターテインメントを利用客に提供している。これらカラオケ店等に対して音楽メディアあるいは映像メディアあるいはカラオケメディア等の売込営業活動を行う場合、当該カラオケ店等に該メディアに適した再生装置があるとは限らないので、アンプ持参で売込営業活動を行うのが普通である。その場合、ビデオモニターとスピーカは、当該カラオケ店等に設置されているものを使うことになるが、既設のカラオケ装置等の本体アンプからビデオモニターとスピーカにつながる配線を外して、持参のアンプからの配線をその代わりに該ビデオモニターとスピーカにつなげる作業を行う必要がある。そのような作業は、面倒であるから、改善が望まれる。
【考案の開示】
【考案が解決しようとする課題】
【０００４】
　この考案は上述の点に鑑みてなされたもので、ビデオモニター部とスピーカ部とを簡易に併設できるようにしたオーディオ／ビデオ用アンプを提供しようとするものである。
【課題を解決するための手段】
【０００５】
　本考案に従うオーディオ／ビデオ用アンプは、本体ケース内に収納されたアンプ本体部と、前記本体ケースの上面部に設けられた取付部を介して、該上面部に伏せた折り畳み状態と該上面部から立ち上がった開立状態のいずれにも切り替え可能に取り付けられるフラット状のビデオモニター部と、前記本体ケース又はビデオモニター部の少なくとも一方に対して取付部を介して、折り畳み状態と開放状態のいずれにも切り替え可能に取り付けられるフラット状のスピーカ部とを具備する。
【考案の効果】
【０００６】
　これにより、オーディオ／ビデオ用アンプに対して、ビデオモニター部とスピーカ部とを簡易に併設することができる。よって、全体としてコンパクトなオーディオ／ビジュアル装置を提供でき、また、持ち運びにも便利である。
　また、外部の記憶媒体を着脱可能に挿入し、挿入された記憶媒体の記憶情報を読み取る記憶媒体ドライバを前記本体ケース内に更に収納してなるものとすれば、音楽あるいは映像等のメディアを売込営業する際に、本考案装置を持ち運べば、搬入先のカラオケ店等に設置されているモニターやスピーカを使用することなく、本考案装置を使用して簡便に該メディアのデモ再生を行うことができる。また、本考案装置をカラオケ店等に設置すれば、ＢＧＭ音楽／映像再生等に便利であり、有線放送に加入する手間も省ける。
【考案を実施するための最良の形態】
【０００７】
　以下、添付図面を参照してこの考案の実施の形態を詳細に説明する。
　図１及び図２は、本考案の一実施例に係るオーディオ／ビデオ用アンプ１の概略を示す斜視図であって、図１はビデオモニター部２を開立し、スピーカ部３Ｒ，３Ｌを左右に開いた状態を示し、図２はビデオモニター部２とスピーカ部３Ｒ，３Ｌを折り畳んだ状態を示す。本考案に従うオーディオ／ビデオ用アンプ１のアンプ本体部は、本体ケース４内に収納されている。フラット状のビデオモニター部２は、例えば液晶モニターからなり、本体ケース４の上面部４ａに設けられた取付部５を介して、該上面部４ａに伏せた折り畳み状態（図２の状態）と該上面部４ａから立ち上がった開立状態（図１の状態）のいずれにも切り替え可能なように取り付けられる。ビデオモニター部２は、取付部５を介して本体ケース４に対して着脱自在であれば好ましいが、これに限らず、着脱自在でなくてもよい（つまり蝶番式に折り畳み及び開立できるものであってもよい）。ビデオモニター部２の両側面に沿って取付部６，７を介して、左右ステレオ用のフラット状の左右スピーカ部３Ｌ，３Ｒが折り畳み状態（図２の状態）と開放状態（図１の状態）のいずれにも切り替え可能なように取り付けられる。このスピーカ部３Ｌ，３Ｒも取付部６，７を介してビデオモニター部２に対して着脱自在であれば好ましいが、これに限らず、着脱自在でなくてもよい（つまり蝶番式に折り畳み及び開放できるものであってもよい）。また、スピーカ部３Ｌ，３Ｒは、本体ケース４に取り付けてもよいし、左右ステレオタイプに限らず、１枚のモノラルタイプであってもよい。なお、取付部５，６，７の具体的構造は、公知の枢動／折り畳み構造若しくは着脱式枢動／折り畳み構造を適宜採用すればよい。
【０００８】
　ビデオモニター部２及びスピーカ部３Ｒ，３Ｌと本体ケース４内のアンプ本体部との間の信号線接続は、適宜の手段を介して行ってよい。例えば、取付部５，６，７内に信号線接続カプラーを内蔵するタイプであってもよい。あるいは、それぞれに設けた信号出力端子及び入力端子の間を外部配線で接続するタイプであってもよい。あるいは、赤外線や超音波、電波等を用いた無線方式で接続するタイプであってもよい。
【０００９】
　本体ケース４内には外部記憶媒体ドライバ８が収納されており、このドライバ８にて、外部記憶媒体（例えばＤＶＤあるいはＣＤなど適宜のメディア）を着脱可能に挿入し、挿入された記憶媒体に対する書き込み又は読出しを行うことができる。カラオケソフトや、音楽ソフト、映像ソフトなど、所望のソフトウェアのメディアを該ドライバ８にセットし、これを再生して、アンプ本体部にて処理し、ビデオモニター部２で再生映像を表示し、スピーカ部３Ｒ，３Ｌで再生音楽／音声を発音出力する。本体ケース４内のアンプ本体部は、ミキシングやイコライザなどの高機能を持つものであるのがよい。また、本アンプ１のみでカラオケ演奏を楽しむことができるように、マイクロフォン入力端子９を本体ケース４の前面パネル又は背面パネルに備えるとよい。その場合、アンプ本体部では、マイクロフォン入力端子９から入力された音声信号を、別途再生されたカラオケ音楽信号にミキシングし、スピーカ部３Ｒ，３Ｌを介して発音出力させる。なお、外部記憶媒体ドライバ８は、ＤＶＤあるいはＣＤなどのメディアに限らず、それより小型のＭＤなどのメディアが取り扱えるものであってもよい。また、光学式メディアに限らず、ＦＤのような磁気メディアやＩＣメモリなどのメディアが取り扱えるものであってもよい。また、外部記憶媒体ドライバ８は、１種類のメディアに限らず、複数種類のメディアのものを併設してもよい。
【００１０】
　本体ケース４の前面パネルに配置される各種操作子の一例を示すと、全体音量を調整するマスタボリューム１０、再生オーディオ信号の音量を調整するミュージックボリューム１１、マイク入力音声信号の音量を調整するマイクボリューム１２、左右ステレオの音量バランス調整を行う左右バランスボリューム１３、イコライザ調整スライド１４、エコー効果等を調整する効果調整ボリューム１５などがある。なお、図示を省略するが、本体ケース４の背面パネルにおいては、外部との間で、オーディオ信号及び／又はビデオ信号の入力及び／又は出力を行うことができるように、適宜数の入力／出力端子が設けられている。これにより、ドライバ８にセットした記憶媒体の再生映像／音楽のみならず、外部から入力した（例えば有線放送やテレビ放送）の再生映像／音楽も、本アンプ１のビデオモニター部２及びスピーカ部３Ｒ，３Ｌで表示／発音出力できる。
【００１１】
　更に、ビデオモニター部２のフレーム２ａの適宜個所に小型デジタルカメラ（又はビデオカメラ）１６が搭載若しくは内蔵されている。該カメラ１６で撮影した映像はビデオモニター部２で表示することができるし、また、ドライバ８にセットした記憶媒体に書き込むこともできる。これにより、本アンプ１を用いてカラオケ歌唱している様子をカメラ１６で撮影し、モニター表示したり、媒体に記憶したりすることができる。更に、ビデオモニター部２のフレーム２ａに沿って、又は適宜個所に、複数の発光ランプ（例えばカクテルランプ）１７を搭載するとよい。これにより、本アンプ１を用いてカラオケ歌唱しているときに、スポットライトやカクテル光線で歌唱者を照らすことができ、演出効果が出せる。
【００１２】
　図１の状態から本アンプ１を折り畳む場合は、スピーカ部３Ｒ，３Ｌを後方に回してビデオモニター部２の背面側に折り畳み、ビデオモニター部２を本体ケース４の上面部４ａの方に前方に倒して折り畳む。これにより、図２に示すような折り畳み状態となる。折り畳み状態では、スピーカ部３Ｒ，３Ｌの前面（放音面）が上向きに露出するので、この状態のままでも音楽再生を支障なく行うことができる。図２の状態からビデオモニター部２とスピーカ部３Ｒ，３Ｌを開くには、ビデオモニター部２を上方に起こして開立状態とし、スピーカ部３Ｒ，３Ｌを前方に回して前向きに開放し、図１に示すような状態とする。
【００１３】
　以上のように、オーディオ／ビデオ用アンプ１において、ビデオモニター部２とスピーカ部３Ｌ，３Ｒとを簡易に併設することができる。よって、全体としてコンパクトなオーディオ／ビジュアル装置を提供でき、また、持ち運びにも便利となる。また、外部の記憶媒体を着脱可能に挿入し、挿入された記憶媒体の記憶情報を読み取る記憶媒体ドライバ８を本体ケース４内に更に収納してなるものとすることにより、音楽あるいは映像等のメディアを売込営業する際に、本考案装置を持ち運べば、搬入先のカラオケ店等に設置されているモニターやスピーカを使用することなく、本考案装置を使用して簡便に該メディアのデモ再生を行うことができる。また、本考案装置をカラオケ店等に設置すれば、ＢＧＭ音楽／映像再生等に便利であり、有線放送に加入する手間も省ける。勿論、有線放送やテレビ放送を本考案装置で再生することも可能である。このように、本考案に係るオーディオ／ビデオ用アンプ１は、簡便かつコンパクトな構成でありながら、多種多様な用途に使用することができ。
【図面の簡単な説明】
【００１４】
【図１】本考案の一実施例に係るオーディオ／ビデオ用アンプの概略を示す斜視図であって、ビデオモニター部とスピーカ部３Ｒ，３Ｌを開いた状態を示す図。
【図２】同実施例においてビデオモニター部とスピーカ部を折り畳んだ状態を示す図。
【符号の説明】
【００１５】
１　オーディオ／ビデオ用アンプ
２　ビデオモニター部
３Ｒ，３Ｌ　スピーカ部
４　本体ケース
４ａ　本体ケースの上面部
５，６，７　取付部
８　外部記憶媒体ドライバ
９　マイクロフォン入力端子
１０　マスタボリューム
１１　ミュージックボリューム
１２　マイクボリューム
１３　左右バランスボリューム
１４　イコライザ調整スライド
１５　効果調整ボリューム
１６　小型デジタルカメラ（又はビデオカメラ）
１７　発光ランプ（例えばカクテルランプ）
【図１】
0003100274.tif 000003
【図２】
0003100274.tif 000004